(57)【特許請求の範囲】
【請求項１】
ＩＣカードが装着可能に構成され、前記ＩＣカードが装着されているときに当該ＩＣカードに記憶されている電話ＩＤを読出し、その読出された電話ＩＤを自動車電話機に転送する携帯電話機と、
前記携帯電話機から転送された電話ＩＤを用いて発信すると共に、前記ＩＣカードが装着可能に構成され、前記ＩＣカードが装着されているときに当該ＩＣカードから読出された電話ＩＤを用いて発信する自動車電話機とを備えた電話システムであって、
前記自動車電話機に接続されていると共に、個人を識別するためのものであって前記電話ＩＤとは異なる個人識別ＩＤを記憶している記憶媒体が着脱可能に構成され、前記記憶媒体が装着されているときに当該記憶媒体に記憶されている個人識別ＩＤを読出す個人識別ＩＤ読出手段を設け、
前記ＩＣカードは、前記記憶媒体に記憶されている個人識別ＩＤと同一の個人識別ＩＤを記憶し、
前記携帯電話機は、前記ＩＣカードから当該ＩＣカードに記憶されている個人識別ＩＤを読出し、
前記ＩＣカードが前記携帯電話機に装着されているときに、前記携帯電話機により前記ＩＣカードから読出された個人識別ＩＤと、前記個人識別ＩＤ読出手段により前記記憶媒体から読出された個人識別ＩＤとの認証結果が正であるときに、前記自動車電話機が前記携帯電話機から転送された電話ＩＤを用いて発信する旨が許可され、前記携帯電話機により前記ＩＣカードから読出された個人識別ＩＤと、前記個人識別ＩＤ読出手段により前記記憶媒体から読出された個人識別ＩＤとの認証結果が否であるときに、前記自動車電話機が前記携帯電話機から転送された電話ＩＤを用いて発信する旨が禁止されるように構成したことを特徴とする電話システム。
【請求項２】
請求項１記載の電話システムにおいて、
前記記憶媒体が運転免許証であり、前記個人識別ＩＤが運転免許証番号であることを特徴とする電話システム。
【発明の詳細な説明】
【０００１】
【発明の属する技術分野】
本発明は、携帯電話機がＩＣカードに記憶されている電話ＩＤを自動車電話機に転送し、自動車電話機が携帯電話機から転送された電話ＩＤを用いて発信するように構成された電話システムに関する。
【０００２】
【発明が解決しようとする課題】
近年、図５に示すように、ＳＩＭ（Subscriber Identity Module）カード対応の携帯電話機（以下、単に携帯電話機と称する）１を自動車２の車室２ａ内に持込み、ＳＩＭカード３を携帯電話機１に装着すると、携帯電話機１とＳＩＭカード対応の自動車電話機（以下、単に自動車電話機と称する）４との間でBluetooth （Bluetooth は登録商標）による無線通信リンクを確立し、ＰＩＮ（Personal IDentification Number）コードによる認証結果が正であると、携帯電話機１がＳＩＭカード３から当該ＳＩＭカード３に記憶されている電話ＩＤ（IDentification）を読出して自動車電話機４に転送し、自動車電話機４が携帯電話機１から転送された電話ＩＤを用いて発信するものが考えられている。このものによれば、携帯電話機１を利用した通話から自動車電話機４を利用した通話にシームレスに移行することが可能となる。
【０００３】
ところで、携帯電話機１が他人の所有物であり、自動車電話機４がユーザ自身の所有物である場合を想定する。この場合、他人が当該他人のＳＩＭカード３を携帯電話機１に装着した場合であっても、ＰＩＮコードによる認証結果が正であると、他人の携帯電話機１が他人のＳＩＭカード３から当該ＳＩＭカード３に記憶されている電話ＩＤを読出してユーザ自身の自動車電話機４に転送し、ユーザ自身の自動車電話機４が他人の携帯電話機１から転送された電話ＩＤを用いて発信可能となってしまう。その結果、このような場合には、ユーザ自身の自動車電話機４が他人に勝手に使用されてしまうことになり、ユーザが不快感を抱いてしまうという問題がある。
【０００４】
本発明は、上記した事情に鑑みてなされたものであり、その目的は、ユーザ自身の自動車電話機が他人に使用されてしまうことを未然に回避することができ、ユーザが不快感を抱いてしまうことを未然に回避することができる電話システムを提供することにある。
【０００５】
【課題を解決するための手段】
請求項１に記載した電話システムによれば、携帯電話機がＩＣカードから当該ＩＣカードに記憶されている電話ＩＤを読出し、その読出された電話ＩＤを自動車電話機に転送し、自動車電話機が携帯電話機から転送された電話ＩＤを用いて発信すると共に、ＩＣカードが装着されているときに当該ＩＣカードから読出された電話ＩＤを用いて発信するように構成された電話システムにおいて、個人を識別するためのものであって前記電話ＩＤとは異なる個人識別ＩＤが記憶されている記憶媒体を利用し、記憶媒体に記憶されている個人識別ＩＤと同一の個人識別ＩＤをＩＣカードに記憶するように構成した。
【０００６】
そして、ＩＣカードが携帯電話機に装着されているときに、携帯電話機がＩＣカードから当該ＩＣカードに記憶されている個人識別ＩＤを読出すと共に、個人識別ＩＤ読出手段が記憶媒体から当該記憶媒体に記憶されている個人識別ＩＤを読出し、携帯電話機によりＩＣカードから読出された個人識別ＩＤと、個人識別ＩＤ読出手段により記憶媒体から読出された個人識別ＩＤとの認証結果が正であると、自動車電話機が携帯電話機から転送された電話ＩＤを用いて発信する旨が許可され、これに対して、携帯電話機によりＩＣカードか読出された個人識別ＩＤと、個人識別ＩＤ読出手段により記憶媒体から読出された個人識別ＩＤとの認証結果が否であると、自動車電話機が携帯電話機から転送された電話ＩＤを用いて発信する旨が禁止されるように構成した。
【０００７】
したがって、ユーザは、あらかじめ記憶媒体に記憶されている個人識別ＩＤと同一の個人識別ＩＤをＩＣカードに記憶させておき、ＩＣカードに記憶されている個人識別ＩＤを携帯電話機に読出させると共に、記憶媒体に記憶されている個人識別ＩＤを個人識別ＩＤ読出手段に読出させることによって、自動車電話機を使用し、携帯電話機から転送された電話ＩＤを用いて発信することができる。
【０００８】
その一方で、他人がユーザ自身の自動車電話機を使用しようとしても、他人を識別する個人識別ＩＤが記憶されている記憶媒体が用意されていなければ、また、他人を識別する個人識別ＩＤがＩＣカードに記憶されていなければ、個人識別ＩＤの認証が行われることがなく、個人識別ＩＤの認証結果が否となるので、他人は、ユーザ自身の自動車電話機を使用することはできない。このようにして、ユーザ自身の自動車電話機が他人に使用されてしまうことを未然に回避することができ、ユーザが不快感を抱いてしまうことを未然に回避することができる。
【０００９】
請求項２に記載した電話システムによれば、記憶媒体が運転免許証であり、個人識別ＩＤが運転免許証番号であるので、自動車を運転するときには運転免許証を携帯しているのが一般的であるので、記憶媒体として運転免許証を利用すると共に、個人識別ＩＤとして運転免許証番号を利用することによって、個人識別ＩＤを記憶するための別の記憶媒体を用意する必要がなく、運転免許証を有効に活用することができる。
【００１０】
【発明の実施の形態】
以下、本発明の一実施例について、図１ないし図４を参照して説明する。尚、ここでは、本発明でいうＩＣ（Integrated Circuit）カードがＳＩＭ（Subscriber Identity Module）カードであることを前提として説明する。
【００１１】
まず、図１は、電話システムの全体の構成を概略的に示している。ＳＩＭカード対応の携帯電話機（以下、単に携帯電話機と称する）１１は、通信網（携帯電話網や固定電話網を含む）との間の無線処理を行う無線回路、ユーザが発した音声を送話音声として入力するマイクロホン、通話相手が発した音声を受話音声として出力するスピーカ、「電源」キー、「通話開始」キー、「通話終了」キー、「０」〜「９」の「数字」キーなどの多数のキーを配列してなるキーパッド、日付・時刻、電話番号などを表示する液晶ディスプレイおよび例えばアドレス帳などの各種の情報を記憶するメモリを備えると共に、ＳＩＭカード１２が装着されるスロットを備えて構成されている。
【００１２】
ＳＩＭカード１２は、その表面にＬＳＩ（Large Scale Integration ）１３が露出した状態で実装されており、ＬＳＩ１３は、カード全体の動作を制御するＣＰＵ、カードのオペレーションシステムが書込まれているＲＯＭ（Read Only Memory）、ワーキングメモリとして機能するＲＡＭ（Random Access Memory）およびデータ記憶用メモリとして機能するＥＥＰＲＯＭ（Electrically Erasable and Programable ROM ）などが配置されて構成されている。この場合、ＥＥＰＲＯＭには、電話ＩＤ（IDentification）がデータの一つとして記憶されていると共に、詳しくは後述するＩＣカード運転免許証１４（本発明でいう記憶媒体）に記憶されている運転免許証番号（本発明でいう個人識別ＩＤ）と同一の運転免許証番号がデータの一つとして記憶可能となっている。
【００１３】
そして、携帯電話機１１は、ＳＩＭカード１２がスロットに装着されると、そのＳＩＭカード１２から電話ＩＤを読出すと共に、ＳＩＭカード１２に運転免許証番号が記憶されていれば、その記憶されている運転免許証番号をも読出す。この場合、携帯電話機１１がＳＩＭカード１２から電話ＩＤや運転免許証番号を読出す方法としては、携帯電話機１１に設けられたコンタクトがＬＳＩ１３に接触する接触方式であっても良いし、一方、例えば１３ＭＨｚ帯域の電波を利用した非接触方式であっても良い。また、携帯電話機１１は、Bluetooth 無線通信モジュールを搭載しており、自動車電話機１５との間でBluetooth による無線通信を行うことが可能となっている。
【００１４】
自動車電話機１５は、ハンドセット（受話器）１６、ハンドセット１６が着脱可能なクレードル（電話機本体）１７、通信網との間の無線処理を行う無線機１８、ハンズフリー用マイクロホン１９およびハンズフリー用スピーカ２０を備えて構成されている。ハンズフリー用マイクロホン１９は、自動車２１の車室２１ａ内にあって運転者が発する送話音声を集音するのに適した位置に取付けられ、ハンズフリー用スピーカ２０は、自動車２１の車室２１ａ内にあって運転者がハンズフリー用スピーカ２０から出力される受話音声を聞取るのに適した位置に取付けられる。また、自動車電話機１５も、上記した携帯電話機１１と同様にして、ＳＩＭカード１２が装着されるスロットを備えて構成されている。
【００１５】
ＩＣカードリーダ２２（本発明でいう個人識別ＩＤ読出手段）は、例えば通信ケーブル２３を通じて自動車電話機１５に接続されていると共に、上記したＩＣカード運転免許証１４が装着されるスロットを備えて構成されている。
【００１６】
ＩＣカード運転免許証１４は、運転免許証がＩＣカード化されたものであり、その表面には所有者の写真が添付されていると共に、上記したＳＩＭカード１２と同様にして、ＬＳＩ２４が露出した状態で実装されている。ＬＳＩ２４は、上記したＳＩＭカード１２に実装されているＬＳＩ１３と同様にして、カード全体の動作を制御するＣＰＵ、カードのオペレーションシステムが書込まれているＲＯＭ、ワーキングメモリとして機能するＲＡＭおよびデータ記憶用メモリとして機能するＥＥＰＲＯＭなどが配置されて構成されている。この場合、ＥＥＰＲＯＭには、運転免許証の所有者を識別するための固有の運転免許証番号（図１では、１２３４−５６７８−９０ａｂ）が記憶されている。
【００１７】
そして、ＩＣカードリーダ２２は、ＩＣカード運転免許証１４がスロットに装着されると、そのＩＣカード運転免許証１４から運転免許証番号を読出し、その読出された運転免許証番号を自動車電話機１５に出力する。この場合も、ＩＣカードリーダ２２がＩＣカード運転免許証１４から運転免許証番号を読出す方法としては、ＩＣカードリーダ２２に設けられたコンタクトがＬＳＩ２４に接触する接触方式であっても良いし、一方、例えば１３ＭＨｚ帯域の電波を利用した非接触方式であっても良い。また、自動車電話機１５は、Bluetooth 無線通信モジュールを搭載しており、携帯電話機１１との間でBluetooth による無線通信を行うことが可能となっている。
【００１８】
次に、上記した構成の作用について、図２ないし図４も参照して説明する。ここで、図２は、自動車電話機１５の処理をフローチャートとして示しており、図３は、携帯電話機１１の処理をフローチャートとして示している。
【００１９】
自動車電話機１５は、電源が投入されている状態では、ＳＩＭカード１２がスロットに装着されているか否かを判定すると共に（ステップＳ１）、携帯電話機１１との間でBluetooth による無線通信リンクを確立すべき条件が成立したか否かを判定する（ステップＳ２）。
【００２０】
さて、ここで、自動車電話機１５は、携帯電話機１が近付いた位置にあり、携帯電話機１１との間でBluetooth による無線通信リンクを確立すべき条件が成立すると（ステップＳ２にて「ＹＥＳ」）、携帯電話機１１との間でBluetooth による無線通信リンクを確立する（ステップＳ３）。そして、自動車電話機１５は、ＰＩＮ（Personal Identification Number）コードを含めた「ＰＩＮコード信号」を携帯電話機１１に送信する（ステップＳ４、図４中Ｐ１参照）。
【００２１】
携帯電話機１１は、自動車電話機１５から「ＰＩＮコード信号」が受信されると（ステップＴ１にて「ＹＥＳ」）、その受信された「ＰＩＮコード信号」に含まれているＰＩＮコードを認証する（ステップＴ２）。そして、携帯電話機１１は、認証結果が正であると（ステップＴ３にて「ＹＥＳ」）、認証結果が正である旨を示す「ＰＩＮコード認証確認信号」を自動車電話機１５に送信する（ステップＴ４、図４中Ｐ２参照）。
【００２２】
次いで、自動車電話機１５は、携帯電話機１１から「ＰＩＮコード認証確認信号」が受信されると（ステップＳ５にて「ＹＥＳ」）、自己の認証を要求すべく「認証要求信号」を携帯電話機１１に送信する（ステップＳ６、図４中Ｐ３参照）。
【００２３】
携帯電話機１１は、自動車電話機１５から「認証要求信号」が受信されると  （ステップＴ５にて「ＹＥＳ」）、その受信された「認証要求信号」に含まれている情報に基づいて自動車電話機１５を認証する（ステップＴ６）。そして、携帯電話機１１は、認証結果が正であると（ステップＴ７にて「ＹＥＳ」）、認証結果が正である旨を示す「認証確認信号」を自動車電話機１５に送信する（ステップＴ８、図４中Ｐ４参照）。
【００２４】
次いで、自動車電話機１５は、携帯電話機１１から「認証確認信号」が受信されると（ステップＳ７にて「ＹＥＳ」）、認証データを要求すべく「認証データ要求信号」を携帯電話機１１に送信する（ステップＳ８、図４中Ｐ５参照）。
【００２５】
携帯電話機１１は、自動車電話機１５から「認証データ要求信号」が受信されると（ステップＴ９にて「ＹＥＳ」）、「認証データ要求信号」が受信された旨を通知すべく「認証データ確認信号」を携帯電話機１１に送信する（ステップＴ１０、図４中Ｐ６参照）。そして、携帯電話機１１は、ＳＩＭカード１２から運転免許証番号を読出し（ステップＴ１１）、その読出された運転免許証番号を暗号化処理して運転免許証番号暗号化データを生成し（ステップＴ１２）、その生成された運転免許証番号暗号化データを含めた「運転免許証番号暗号化データ信号」を自動車電話機１５に送信する（ステップＴ１３、図４中Ｐ７参照）。ここでは、認証データは、運転免許証番号暗号化データである。
【００２６】
次いで、自動車電話機１５は、携帯電話機１１から「認証データ確認信号」が受信され（ステップＳ９にて「ＹＥＳ」）、携帯電話機１１から「運転免許証番号暗号化データ信号」が受信されると（ステップＳ１０にて「ＹＥＳ」）、その受信された「運転免許証番号暗号化データ信号」に含まれている運転免許証番号暗号化データを暗号解除し（ステップＳ１１）、運転免許証番号を復元する（ステップＳ１２）。
【００２７】
さて、ここで、ユーザがＩＣカード運転免許証１４をＩＣカードリーダ２２に装着していると仮定する。ＩＣカードリーダ２２は、ＩＣカード運転免許証１４が装着されていると、ＩＣカード運転免許証１４から当該ＩＣカード運転免許証１４に記憶されている運転免許証番号を読出し、その読出された運転免許証番号を自動車電話機１５に出力し、自動車電話機１５は、ＩＣカードリーダ２２から運転免許証番号を入力する（ステップＳ１３）。
【００２８】
そして、自動車電話機１５は、復元された運転免許証番号、つまり、ＳＩＭカード１２に記憶されている運転免許証番号と、ＩＣカードリーダ２２から入力された運転免許証番号、つまり、ＩＣカード運転免許証１４に記憶されている運転免許証番号とを認証する（ステップＳ１４）。ここで、自動車電話機１５は、認証結果が正であると（ステップＳ１５にて「ＹＥＳ」）、電話ＩＤを要求すべく「電話ＩＤ要求信号」を携帯電話機１１に送信する（ステップＳ１６、図４中Ｐ８）。
【００２９】
携帯電話機１１は、自動車電話機１５から「電話ＩＤ要求信号」が受信されると（ステップＴ１４にて「ＹＥＳ」）、ＳＩＭカード１２から電話ＩＤを読出し（ステップＴ１５）、その読出された電話ＩＤを暗号化処理して電話ＩＤ暗号化データを生成し（ステップＴ１６）、その生成された電話ＩＤ暗号化データを含めた「電話ＩＤ暗号化データ信号」を自動車電話機１５に送信する（ステップＴ１７、図４中Ｐ９参照）。
【００３０】
次いで、自動車電話機１５は、携帯電話機１１から「電話ＩＤ暗号化データ信号」が受信されると（ステップＳ１７にて「ＹＥＳ」）、その受信された「電話ＩＤ暗号化データ信号」に含まれている電話ＩＤ暗号化データを暗号解除し（ステップＳ１８）、電話ＩＤを復元する（ステップＳ１９）。そして、自動車電話機１５は、これ以降、その復元された電話ＩＤを用いて発信処理を行う（ステップＳ２０）。
【００３１】
尚、自動車電話機１５は、ＳＩＭカード１２がスロットに装着されると（ステップＳ１にて「ＹＥＳ」）、これ以降、携帯電話機１１から転送された電話ＩＤを用いた発信処理を行うのではなく、ＳＩＭカード１２から当該ＳＩＭカード１２に記憶されている電話ＩＤを読出し、その読出された電話ＩＤを用いて通常の発信処理を行う（ステップＳ２１）。
【００３２】
以上に説明したように本実施例によれば、個人を識別するための運転免許証番号が記憶されているＩＣカード運転免許証１４を利用し、ＩＣカード運転免許証１４に記憶されている運転免許証番号と同一の運転免許証番号をＳＩＭカード１２に記憶し、ＩＣカード運転免許証１４から読出された運転免許証番号と、ＳＩＭカード１２から読出された運転免許証番号との認証結果が正であると、自動車電話機１５が携帯電話機１１から転送された電話ＩＤを用いて発信する旨が許可され、これに対して、ＩＣカード運転免許証１４から読出された運転免許証番号と、ＳＩＭカード１２から読出された運転免許証番号との認証結果が否であると、自動車電話機１５が携帯電話機１１から転送された電話ＩＤを用いて発信する旨が禁止されるように構成した。
【００３３】
したがって、ユーザは、あらかじめＩＣカード運転免許証１４に記憶されている運転免許証番号と同一の運転免許証番号をＳＩＭカード１２に記憶させておき、ＳＩＭカード１２に記憶されている運転免許証番号を携帯電話機１１に読出させると共に、ＩＣカード運転免許証１４に記憶されている運転免許証番号をＩＣカードリーダ２２に読出させることによって、自動車電話機１５を使用し、携帯電話機１１から転送された電話ＩＤを用いて発信することができる。
【００３４】
その一方で、他人が自動車電話機１５を使用しようとしても、他人を識別する運転免許証番号が記憶されているＩＣカード運転免許証１４が用意されていなければ、また、他人を識別する運転免許証番号がＳＩＭカード１２に記憶されていなければ、運転免許証番号の認証が行われることがなく、運転免許証番号の認証結果が否となるので、他人は、自動車電話機１５を使用することができない。このようにして、ユーザ自身の自動車電話機１５が他人に使用されてしまうことを未然に回避することができ、ユーザが不快感を抱いてしまうことを未然に回避することができる。
【００３５】
また、この場合は、記憶媒体としてＩＣカード運転免許証１４を利用し、個人を識別するための個人識別ＩＤとして運転免許証番号を利用するように構成したので、自動車２１を運転するときには運転免許証を携帯しているのが一般的であるので、個人識別ＩＤを記憶するための別の記憶媒体を用意する必要がなく、運転免許証を有効に活用することができる。
【００３６】
本発明は、上記した実施例にのみ限定されるものでなく、次のように変形または拡張することができる。
自動車電話機がモジュール化された構成、つまり、自動車電話機と同等の機能を有する電話モジュールが車載ＬＡＮ（Local Area Network）に接続される形態により組込まれている構成であっても良い。
記憶媒体としては、ＩＣカード化されている運転免許証に限らず、個人を識別可能なものであり、且つ、ＩＣカード化されているものであれば、保険証、診察券、定期券および銀行のキャッシュカードなどであっても良い。
【００３７】
ＩＣカードがＵＩＭ（User Identity Module）カードであっても良い。
ＳＩＭカードに実装されているＬＳＩや、ＩＣカード運転免許証に実装されているＬＳＩに、暗号処理を行う暗号処理用コプロセッサが配置されている場合であれば、携帯電話機が運転免許証番号や電話ＩＤを暗号化する構成に限らず、ＳＩＭカードが運転免許証番号や電話ＩＤを暗号化すると共に、ＩＣカード運転免許証が運転免許証番号を暗号化する構成であっても良い。
【００３８】
自動車電話機と携帯電話機との間の近距離無線通信として、赤外線通信や、ＩＥＥＥ（Institute of Electrical and Electronic Engineers）８０２．１１シリーズに準拠した無線ＬＡＮ（Local Area Network）通信を利用する構成であっても良い。
自動車電話機とＩＣカードリーダとが別体の構成に限らず、自動車電話機とＩＣカードリーダとが一体の構成、つまり、自動車電話機がＩＣカードリーダの機能を有する構成であっても良い。
【図面の簡単な説明】
【図１】本発明の一実施例の全体の構成を概略的に示す図
【図２】自動車電話機の処理を示すフローチャート
【図３】携帯電話機の処理を示すフローチャート
【図４】シーケンス図
【図５】従来例を示す図
【符号の説明】
図面中、１１は携帯電話機、１２はＳＩＭカード（ＩＣカード）、１４はＩＣカード運転免許証（記憶媒体）、１５は自動車電話機、２２はＩＣカードリーダ（個人識別ＩＤ読出手段）である。
【図１】
0003972679.tif 000002
【図２】
0003972679.tif 000003
【図３】
0003972679.tif 000004
【図４】
0003972679.tif 000005
【図５】
0003972679.tif 000006